(57)【要約】  医用画像中の問題部位を自動的に検出し、マークするために機械学習分類を利用するＣＡＤ（コンピュータ援用決定）支援システム、方法及びツールを提供する。機械学習方法は日常のＣＡＤシステム利用の過程において得られるトレイニング・データを利用して絶えずＣＡＤプロセスに医師としての知識を組み込むことによってＣＡＤプロセスを適合させ/最適化するのに利用される。
2007528746.tif 000002
【特許請求の範囲】
【請求項１】
医用画像作成に際してコンピュータ援用決定（ＣＡＤ）を支援する方法において、
患者の画像データ中の疑わしい問題部位を検出するためＣＡＤプロセスを利用して患者の画像データを処理し；
ユーザーが検査できるようにＣＡＤプロセスから得たＣＡＤ結果を提示し；
ユーザーによるＣＡＤ結果の検査に基づくトレイニング・データを取得し；
トレイニング・データを利用してＣＡＤプロセスを適合させるステップから成ることを特徴とする前記方法。
【請求項２】
ＣＡＤプロセスを利用して患者の画像データを処理するステップが患者の画像データから自動的に画像パラメーターを抽出するステップと、分類方法を利用してパラメーターを分類するステップを含み、機械学習プロセスを利用してＣＡＤプロセスを適合させることにより、トレイニング・データを利用して分類システムを再訓練することを特徴とする請求項１に記載の方法。
【請求項３】
ＣＡＤ結果を提示するステップが画像データの少なくとも一部を、もし存在するなら、検出された問題部位を指摘するＣＡＤマークと共に表示するステップを含むことを特徴とする請求項１に記載の方法。
【請求項４】
トレイニング・データを得るステップが
ＣＡＤによって検出されず、従ってＣＡＤマークを付されることがなかった、問題部位を指摘するユーザー・マークを確認し；
ユーザー・マークと連携する問題部位に関する画像情報を収集するステップを含むことを特徴とする請求項３に記載の方法。
【請求項５】
トレイニング・データを得るステップが
ユーザーによる検査の過程においてユーザーが容認したＣＡＤマークを確認し；
容認されたＣＡＤマークと連携する問題部位に関する画像情報を収集するステップを含むことを特徴とする請求項３に記載の方法。
【請求項６】
トレイニング・データを得るステップが
ユーザーによる検査の過程においてユーザーが拒絶したＣＡＤマークを確認し；
拒絶されたＣＡＤマークと連携する問題部位に関する画像情報を収集するステップを含むことを特徴とする請求項３に記載の方法。
【請求項７】
トレイニング・データを得るステップがＣＡＤマークもユーザー・マークも付されなかった問題部位に関する画像情報を収集するステップを含むことを特徴とする請求項３に記載の方法。
【請求項８】
トレイニング・データを利用してＣＡＤを適合させるステップがＣＡＤプロセスを連続的または周期的に再訓練するステップを含むことを特徴とする請求項１に記載の方法。
【請求項９】
ユーザーが患者の画像データをＣＡＤ-非援用検査した結果に基づいてトレイニング・データを得るステップをも含むことを特徴とする請求項１に記載の方法。
【請求項１０】
医学画像におけるコンピュータ援用決定（ＣＡＤ）支援を可能にするための方法ステップを実行するための、マシーンによって実行可能なプログラムを具体化した、マシーンによって読取り可能なプログラム記憶装置において、前記方法ステップが
ＣＡＤプロセスを利用して患者の画像データを処理することにより、患者の画像データ中の疑わしい問題部位を検出し；
ユーザーが検査できるようにＣＡＤプロセスから得られるＣＡＤ結果を提示し；
ユーザーによるＣＡＤ結果の検査に基づいてトレイニング・データを取得し、
トレイニング・データを利用してＣＡＤプロセスを適合させるステップを含むことを特徴とする前記プログラム記憶装置。
【請求項１１】
ＣＡＤプロセスを利用して患者の画像データを処理する命令が、患者の画像データから自動的に画像特徴を抽出する命令と、分類方法を利用して特徴を分類する命令を含み、ＣＡＤプロセスを適合させる命令がトレイニング・データを利用して分類システムを再構成するため機械学習プロセスを利用する命令を含むことを特徴とする請求項１０に記載のプログラム記憶装置。
【請求項１２】
ＣＡＤ結果を提示する命令が画像データの少なくとも一部をもし存在するなら、検出された問題部位を指摘するＣＡＤマークと共に表示する命令を含むことを特徴とする請求項１０に記載のプログラム記憶装置。
【請求項１３】
トレイニング・データを得る命令が
ＣＡＤでは検出もマーキングもされなかった問題部位を指摘するユーザー・マークを確認し；
ユーザー・マークと連携する問題部位に関する画像情報を収集する命令を含むことを特徴とする請求項１２に記載のプログラム記憶装置。
【請求項１４】
トレイニング・データを得る命令が
ユーザーによる検査の過程においてユーザーによって容認されたＣＡＤマークを確認し；
容認されたＣＡＤマークと連携する問題部位に関する画像情報を収集する命令をも含むことを特徴とする請求項１２に記載のプログラム記憶装置。
【請求項１５】
トレイニング・データを得る命令が
ユーザーによる検査の過程においてユーザーが拒絶したＣＡＤを確認し；
拒絶されたＣＡＤマークと連携する問題部位に関する画像情報を収集する
命令をもふくむことを特徴とする請求項１２に記載のプログラム記憶装置。
【請求項１６】
トレイニング・データを得る命令がＣＡＤマークもユーザー・マークも付されなかった問題部位に関する画像情報を収集する命令をふくむことを特徴とする請求項１２に記載のプログラム記憶装置。
【請求項１７】
トレイニング・データを利用してＣＡＤプロセスを適合させる命令がＣＡＤプロセスを連続的または周期的に再訓練する命令を含むことを特徴とする請求項１０に記載のプログラム記憶装置。
【請求項１８】
ユーザーによる患者の画像データのＣＡＤ-非援用検査の結果に基づいてトレイニング・データを得る命令をも含むことを特徴とする請求項１０に記載のプログラム記憶装置。
【請求項１９】
コンピュータ援用決定（ＣＡＤ）支援方法において、
ＣＡＤプロセスを利用した患者データの処理からＣＡＤ結果を取得し；
（i）ユーザーによる患者データの検査、または（ii）ユーザーによるＣＡＤ結果の検査、または（iii）ユーザーによる患者データ及びＣＡＤ結果の検査から成る検査結果を取得し；
ＣＡＤ結果とユーザーの検査結果を比較し；
比較結果に基づいてトレイニング・データを得るステップを含むことを特徴とする前記方法。
【請求項２０】
ＣＡＤ結果とユーザーによる検査結果とを比較するステップが擬陽性ＣＡＤ結果、または擬陰性ＣＡＤ結果、または真陽性ＣＡＤ結果、またはこれらの組み合わせを確認するステップを含むことを特徴とする請求項１９に記載の方法。
【請求項２１】
ＣＡＤ結果がＣＡＤプロセスによって、もし存在するなら、患者の画像中から検出される疑わしい問題部位を指摘するＣＡＤマークであることを特徴とする請求項１９に記載の方法。
【請求項２２】
ユーザーによるＣＡＤ結果の検査結果がＣＡＤマークに対するユーザーの容認または拒絶に関する指摘であることを特徴とする請求項２１に記載の方法。
【発明の詳細な説明】
【関連出願の相互参照】
【０００１】
本願は２００３年６月２７日付米国仮出願第６０/４８３，５５９号に基づく優先権を主張するものであり、上記仮出願の内容全体を本願の一部として引用する。
【技術分野】
【０００２】
本発明は、広義では、医用画像中の問題の部位を検出、診断及びマーキングすることによって決定の支援を自動化するために機械学習分類を用いる、ＣＡＤ（コンピュータ援用決定）支援システム、方法及びツールに係わる。より具体的には、本発明は日常的なＣＡＤ支援システムの利用から得られるトレイニング・データを利用して、医師としての知識を絶えずＣＡＤプロセスに組み込むことによりＣＡＤプロセスを適応/最適化することができる機械学習方法を用いるＣＡＤ支援システム、方法及びツールに係わる。
【背景技術】
【０００３】
画像診断の分野では、病状を分類及び評価するため、個々の患者の種々の解剖学的構造の医用画像を撮影する種々のシステムが開発されている。これらの撮影システムとして、例えば、ＣＴ（コンピュータ断層撮影）システム、ＭＲＩ（磁気共鳴撮影）システム、X線システム、超音波システム、ＰＥＴ（陽電子放出断層撮影）システムなどがある。それぞれの撮影手段は特定の疾病タイプ、病状または解剖学的異常、例えば、結腸ポリープ、動脈瘤、肺結節、心臓または動脈石灰変性、胸部組織中の癌、微小な石灰変性または塊、その他種々の病巣または異常を分類及び評価する際に他の手段と比較してそれぞれ利点を有する。
【０００４】
例えば、公知のように、ＣＴ（コンピュータ断層撮影）システムを利用することによって、器官及びその他の生体構造を撮影する目的で、患者のＲＯＩ（問題部位）の一連の断層画像または二次元“スライス”を得ることができる。ＣＴ撮影法は疾病の診断目的にも広く利用されている。即ち、この撮影手段は器官、軟組織、骨のような種々の解剖学的構造のサイズ、形状及び位置を示す比較的正確な画像を提供し、損傷及び癌やポリープのような異常な解剖学的構造の比較的正確な評価を可能にするからである。
【０００５】
病状を検出、診断または評価する目的で医師、臨床医、放射線技師などが通常利用する方法の１つは、取得した画像から再構成された医用画像のハード・コピー（Ｘ-線フィルム、プリント、写真、など）を手に取ってチェックすることにより、問題の特性を識別することである。例えば、ＣＴ試験において得られるＣＴ画像データを利用することにより、一連の２Ｄ-医用画像（Ｘ-線フィルム）を作成することができ、これを観察することによって、例えば、観察する医師、臨床医、放射線技師、などの技量と知識に基づいて、異常な解剖学的構造または損傷があれば、これらを識別することができる。例えば、乳房撮影から胸部組織に相当する正常な解剖学的構造を含む医用画像が作成され、熟練した放射線技師がこれらの構造から癌性である可能性のある小さい損傷を識別できるかもしれない。しかし、熟練した放射線技師、医師または臨床医であっても人的ミスから乳癌のような病状を誤診する可能性がある。
【０００６】
そこで、病状診断のための医用画像評価に際して医師、臨床医、放射線技師、などを補助するための種々の画像データ処理システムやツールが開発されている。例えば、医用画像から病状をコンピュータ援用検出/診断するコンピュータ援用検出/診断ツールが種々の臨床目的に開発されている。一般に、これらのＣＡＤシステムは画像データ処理方法によって、損傷や異常な解剖学的異常、例えば、結腸ポリープ、動脈瘤、肺結節、心臓または動脈石灰変性、胸部組織中の癌、微小な石灰変性または塊、などを自動的に検出/診断する。具体的には、従来のＣＡＤツールは画像データ分析することによって画像データ中の問題部位を自動的に検出し、これらの部位を損傷、異常、病状、などとして識別する方法を含む。処理された画像データが提供され、ディスプレーされると、ディスプレーされている画像中から検出された部位または問題点が“マーク”または強調されて、放射線技師の注意を、疑わしいとされる病状に向けさせる。
【０００７】
ＣＡＤシステムは診断/決定を支援する手段として極めて有用ではあるが、ＣＡＤの精度はＣＡＤプロセスがどのようにプログラムされているかに応じて異なる。一般に、ＣＡＤシステムは専門家によって設定され、コード形式に翻訳された一連の２値論理分類法則からＣＡＤプロセスを開発し、導出する“専門家システム”を使用して構成するか、または発見的に得られた知識を使用して訓練することができる。しかし、残念ながら、ＣＡＤプロセスを開発するのに２値論理分類法則または発見的学習法を利用する専門家システムは本質的に開発者である専門家個人のものであり、デザインが主観的な性質のものであるため、このようなシステムはしばしばエラーを伴う。
【０００８】
また、この種の公知システムでは、専門家は分類エラーの原因を追究し、その都度分類法則を更新することによって適正な精度レベルを求めねばならない。従って、このような公知方法は、専門家がエラーを理解/学習し、適正な法則を確立/修正することによってより正確な検出結果を得るには多大な時間と経費を必要とするから、実施と維持に多大のコストを要する。
【０００９】
また、ＣＡＤシステムは原理（機械)学習分類法を使用して実施することもでき、その場合、既に診断/記録済みのケースの膨大なデータベースから得られるトレイニング・データを使用するＣＡＤプロセスのため、“オフ-ライン”学習処理を利用することによって１つまたは２つ以上の分類システムを訓練/形成することができる。分類システムを形成するのに使用されたトレイニング・データで試験する場合にはこれらの分類システムで充分かもしれないが、オリジナルな学習データベースに含まれていなかった情報を分析する場合、このような分類システムはＣＡＤに組み込むには実行時間性能が不充分である。
【００１０】
上記のような従来型のプログラム方式では、ＣＡＤプロセスは最適とまではいえない不正確な結果を生む恐れがある。例えば、ＣＡＤ分析の結果に、正常な部位を誤ってマークすることによる“擬陽性”が含まれるか、逆に、ＣＡＤ分析が異常な部位を正常と判断して“マークしない”場合もあり得る。このような場合、医師が誤ったＣＡＤマークを信頼する結果として、余計な試験または生体組織検査を行うため、患者への対応プロセスが大幅に且つ実質的に変更されることになり、放射線技師の手間が増え、ヘルスケア・コストが増大し、患者の不安を増大させ、ひいてはコンピュータ援用診断システムに対する信頼が失う恐れがある。
【発明の概要】
【００１１】
一般に、本発明の実施態様は医用画像中の問題部位を検出、診断及びマーキングすることによって自動決定の支援を可能にする機械学習を利用する、ＣＡＤ（コンピュータ援用決定）を支援するシステム、方法及びツールを含む。より具体的には、本発明の実施態様は日常のＣＡＤ支援システム利用の過程において得られるトレイニング・データを利用してＣＡＤプロセスに絶えず医師としての知識を組み込むことによってＣＡＤプロセスを適合させ/最適化することができる機械学習方法を利用するＣＡＤを支援するシステム、方法及びツールを含む。
【００１２】
本発明の１つの実施態様として、医用画像を対象とするコンピュータ援用決定（ＣＡＤ）支援方法は患者の画像データ中の疑わしい問題部位を検出するためＣＡＤプロセスを利用して患者の画像データを処理し、ユーザーが再検査できるようにＣＡＤプロセスから得たＣＡＤ結果を提示し、ユーザーによるＣＡＤ結果の検査に基づくトレイニング・データを取得し、トレイニング・データを利用してＣＡＤプロセスを適合させるステップから成る。
【００１３】
本発明の１つの実施態様として、ＣＡＤ結果を、画像データの少なくとも一部を、もし存在するなら、検出された問題部位を指摘するＣＡＤマークと共に表示することによってユーザーに提示することができる。この場合、ＣＡＤによっては検出もマーキングもされなかった問題部位を指摘するユーザーによるマークを確認し、ユーザー・マークと連携する問題部位に関する画像情報を収集することによって、またはユーザーによる検査の過程においてユーザーが容認したＣＡＤマークを確認し、容認されたＣＡＤマークと連携する問題部位に関する画像情報を収集することによって、またはユーザーによる検査の過程においてユーザーが拒絶したＣＡＤマークを確認し、拒絶されたＣＡＤマークと連携する問題部位に関する画像情報を収集することによって、またはＣＡＤマークもユーザー・マークもない問題部位に関する画像情報を収集することによって、またはこれらの組み合わせによってトレイニング・データを得ることができる。
【００１４】
本発明のこれらの、及びその他の実施態様、特徴及び利点を添付図面を参照しながら以下に詳細に説明する。
【実施例】
【００１５】
ここに述べる本発明の実施例は、一般的には、機械学習分類法を利用して医用画像中の問題部位を自動的に検出/診断し、マーキングするコンピュータ援用検出/診断システム及びツール（ここではＣＡＤシステムと総称）を含む。また、本発明の実施例としてのＣＡＤシステム及びツールは日常的なＣＡＤシステム利用の過程で得られるトレイニング・データを医師の知識として絶えずＣＡＤプロセスに組み込むことによってＣＡＤプロセスの適合/最適化を目指す機械学習法を採用する。本発明の実施例を図１、２、３及び４を参照して以下に説明する。
【００１６】
本発明のシステム及び方法はハードウェア、ソフトウェア、ファームウェア、特殊目的のプロセス、またはこれらの組み合わせなど、多様な形態に実施することができる。実施態様の1つとして、本発明のシステム及び方法を、（例えば、磁気フロッピー・ディスク、ＲＡＭ、ＣＤ  ＲＯＭ、ＤＶＤ、ＲＯＭ及びフラッシュメモリーのような）１つまたは２つ以上のプログラム記憶デバイスに収録され、適当なアーキテクチュアを有するデバイスまたはマシーンによって実行できるプログラム命令を含むソフトウェア・アプリケーションとして実施することができる。
【００１７】
また、添付図面に示すシステムの個々の構成モジュール及び方法の個々のステップはソフトウェアの形で実施できるから、アプリケーションをどのようにプログラムするかに応じてシステム構成部分間の接続（または処理ステップのフロー）は多様である。当業者ならば、本明細書の教示内容に基づいて多様な実行または構成を試みることができるであろう。
【００１８】
図１は本発明の実施例として、患者データ記録及びファイル分析システム（１０）を示すブロックダイヤグラムである。システム（１０）は患者データ記録及びファイル収納容器（１１）、スクリーン表示/観察システム（１２）、２Ｄ/３Ｄ-画像レンダリング/可視化システム（１３）、及びデータ処理システム（１４）（またはＣＡＤシステム）から成る。詳しくは後述するように、ＣＡＤシステム（１４）はユーザーとＣＡＤシステム（１４）との相互作用を介して取得される診断知識（例えば、検出結果を再検査する過程でＣＡＤによるマーキングに対するユーザー自身の容認及び拒絶に基づいて得られる知識）を利用して、被験者画像データセット中の異常と思われる解剖学的構造を検出/診断し、ＣＡＤプロセスの適合/最適化を達成するためのコンピュータ援用決定を支援する種々の方法を実施する。
【００１９】
患者データ記録及びファイル（１１）は単数または複数の被検患者に関する画像データ及び/または医用画像を含む。具体的には、患者データ記録及びファイル（１１）はＣＴスキャンの過程で得られた未加工ＣＴデータ（ラドン・データ）またはＣＴスキャン以外の撮影方法を利用して得られた未加工データのような未加工画像データの形態を取るディジタル画像データ（１１−１）を含むことがある。また、ディジタル画像データ（１１−１）は未加工画像データから再構成され、永続的に記憶される単数または複数の２Ｄ-スライスまたは３Ｄ-画像を含むことがある。さらにまた、患者データ記録及びファイル（１１）は取得された画像データから再構成された画像のＸ-線フィルム、プリント、写真などのようなハード-コピー２Ｄ-及び/または３Ｄ-医用画像（１１−２）を含むこともある。医用画像（１１−２）は、例えば、患者の問題部位のＣＴスキャンの過程で得られた画像データセットから複写された患者の２Ｄ-スライスのような１組のＸ-線フィルムを含むこともある。尚、ここではコンピュータ断層撮影（ＣＴ）システムを利用して得られるＣＴ画像データを例に取って本発明を説明するが、本発明はＭＲＩ、ＰＥＴなどのような他の撮影方法にも適用できる。画像データは２Ｄ（例えば、Ｘ線乳房撮影画像）、３Ｄ(例えば、ＣＴ、ＭＲＩ、ＰＥＴ）、４Ｄ（動的３Ｄ−ＭＲＩ、３Ｄ−超音波プローブによって得られる鼓動している心臓の多重画像）などである。
【００２０】
スクリーン表示/観察システム（１２）は、複写された医用画像の観察に適したシステムを利用して実施することができる。例えば、複数のＣＴスライス（１１−２）から成る画像データセットから作成された複数のＸ-線フィルムを医師、臨床医、放射線技師などが観察するのに利用できる透光スクリーン装置をスクリーン表示/観察システムとして使用することができる。例えば、複数の再構成された二次元スライスをスクロールするのに適したシステムをスクリーン表示/観察システム（１２）として使用することも可能である。観察システムはハードコピー、例えば、ライトボックスで観察できるフィルム・シート、またはペーパープリントなど、当業者に公知の手段であってもよい。
【００２１】
画像レンダリング/可視化システム（１３）として、得られた画像データセット（またはその一部）のディジタル画像データ（１１−１）を処理することによってコンピュータ・モニター上に２Ｄ-及び/または３Ｄ画像を発生させ、表示することができる適当なシステム/ツール/アプリケーションを使用することができる。具体的には、画像レンダリングシステム（１３）画像データ（１１−１）の３Ｄ/２Ｄレンダリング及び可視化を可能にし、モニターを有する汎用または特殊コンピュータ・ワークステーションにおいて実施する如何なるアプリケーションでもよい。画像レンダリングシステム（１３）はまた、例えば、ユーザーが３Ｄ-画像または複数の２Ｄ-スライスを検索することを可能にするＧＵＩ（グファフィカル・ユーザー・インターフェース）をも含む。
【００２２】
ＣＡＤシステム（１４）はディジタル画像データ（１１−１）（及び場合によってはその他の非画像患者データ）を処理することによって上記コンピュータ援用検出及び診断及びその他の機能を可能にする方法、機能及びモジュールを含む。ＣＡＤシステム（１４）は汎用コンピュータまたは特殊ハードウェアを有するコンピュータで実行できるＣＡＤアプリケーションまたはツールを含むことがある。ＣＡＤシステム（１４）は、上述したように、未加工画像データ、２Ｄ-再構成データ（例えば、軸方向スライス）、または３Ｄ-再構成データ(立体画像データ、または多層リフォーマット）、４Ｄ-再構成データ、その他のフォーマットの形態を取るディジタル画像データ（１１−１）を受信し、処理する。ＣＡＤシステム（１４）は入力された画像データセット中の、例えば、解剖学的異常などのような問題部位を識別し、画像データにマーカー（ＣＡＤマーク）を加えることによって問題部位を支持する方法を実行する。ＣＡＤマークは疑わしい異常構造を有する問題部位を指すか、または疑わしい損傷または異常部位の中心部を指す指針（矢印、十字線など）としてレンダーすることができる。ＣＡＤマークは疑わしい損傷部位の周縁を囲むか、または疑わしい異常構造を有するとして検出/診断される問題部位を囲む点線であってもよい。
【００２３】
ＣＡＤシステム（１４）によるデータ処理の結果（ＣＡＤ結果）を画像レンダリング/可視化システム（１３）に出力することにより、システム（１４）の処理結果に従って画像の２Ｄ及び/または３Ｄレンダリングを発生させることができる。例えば、重なり合ったマーカー、区分、色や明るさの変化などがレンダー済み画像データ上にオーバレイとして現れる。ＣＡＤシステム（１４）と画像レンダリング/可視化システム（１３）はコンピュータシステム（例えば、ワークステーション）において実行する単一のアプリケーションとして実施することができる。あるいは、システム（１３）、（１４）をコンピュータネットワーク上に独立に分散させることも可能であり、その場合には、ＤＩＣＯＭ、ＰＡＣＳ等のような公知の通信プロトコルをシステム（１３）、（１４）間の通信に利用し、ネットワークを介して画像データ（１１−１）を伝送する。
【００２４】
図１に示す本発明の実施例では、ＣＡＤシステム（１４）が特徴抽出モジュール（１５）、ＣＡＤモジュール（１６）及びマーク・トラッキング・モジュール（１７）を含む。概説すると、特徴抽出モジュール（１５）はＣＡＤシステム（１４）に入力される画像データ（１１−１）から関連の特徴または画像パラメーターを抽出する方法を実行する。ＣＡＤモジュール（１６）は抽出された特徴を分析し、画像データを分類することにより、被検者の画像データセット中の疑わしい問題部位（例えば、異常な解剖学的構造）を検出し、マーキングを施し、ユーザーに提示するためＣＡＤ結果を出力する（例えば、診断の確率等と共に、もし存在するなら、マーキングされた部位を示すオーバレイを重ねた画像データを表示する）。マーク・トラッキング・モジュール（１７）はＣＡＤマークとユーザー・マークをトラックする方法を実行する。ユーザー・マークとは、ＣＡＤモジュール（１６）によって実行されるＣＡＤプロセスの適合/最適化のために利用できる専門家知識またはトレイニング・データを得る目的でＣＡＤシステム（１４）から出力される検出結果を再検査する過程でユーザーが施すマークである。
【００２５】
尚、特徴抽出モジュール（１５）によって実行される方法はＣＡＤシステム（１４）によって支援される画像データ（１１−１）の撮影方法（画像データのタイプ）、採用される分類方法のタイプ及び検査対象となる解剖学的構造のタイプに応じて異なる。例えば、乳癌の検出に際しては、光学的濃淡に関する種々のパラメーターを抽出することによって胸部組織中の疑わしい損傷を識別することができる。実行可能な特徴抽出方法のタイプは当業者に公知である。尚、特徴抽出モジュール（１５）は既知の、または予想される画像特性、例えば、エッジ、識別可能な構造、境界、色または濃淡の変化または移行、スペクトル情報の変化または移行を参考に、公知の方法を利用して問題の特徴または解剖学的部位を区分する区分方法を実行することができる。
【００２６】
一般に、ＣＡＤモジュール（１６）は被験者の画像データセット（１１−１）の特徴/パラメーターを分析し、分類することによって、被験者の画像データセット（１１−１）中の異常を疑われる解剖学的構造を自動的に検出し、マークする機械学習分類方法を実行する。具体的には、図１の実施例において、ＣＡＤモジュール（１６）は画像データ中の問題部位の自動的な検出（及び場合によっては診断）を可能にする知識ベース専門家システムとして実施されている。ＣＡＤモジュール（１６）はＣＡＤプロセス（１６−１）（またはＣＡＤエンジン）、知識ベース（１６−２）、学習プロセス（１６−３）及び後述するような種々のタイプのトレイニング・データを記憶するメモリー（１６−４）を含む。
【００２７】
ＣＡＤプロセス（１６−１）は、抽出された特徴/パラメーターを分析及び分類して疑わしい問題部位（例えば、異常な解剖学的構造）を検出するため、知識ベース（１６−２）を利用して１つまたは２つ以上の分類方法を実行する。知識ベース（１６−２）はＣＡＤプロセス（１６−１）によって利用される１つまたは２つ以上の訓練済み分類モデル、パラメーター、及び/またはその他の学習された知識のデータ構造等を含む。また、学習エンジン（１６−３）は、日常的にＣＡＤシステム（１４）を利用する過程で収集され、メモリー（１６−４）に永続的に記憶されるトレイニング・データを利用して知識ベース（１６−２）の最適化を可能にする１つまたは２つ以上の機械学習方法を実行する。
【００２８】
尚、トレイニング・データはＣＡＤシステム（１４）を使用する過程で得られる医師の診断知識である。具体的には、本発明の１実施例として、マーク・トラッキング・モジュール（１７）はＣＡＤマークとＣＡＤシステム（１４）から出力される検出結果をユーザーが再検査する過程で現れるユーザー・マークをトラックする１つまたは２つ以上の方法を実行し、ユーザーによって容認及び/または拒絶されたＣＡＤマークまたはユーザーによるユーザー・マークに関連する情報に基づいてトレイニング・データが得られる。このデータは医師の診断知識の大部分であり、ＣＡＤプロセスに組み込むことができる。例えば、システムの性能は従来の分類システムの“過誤”に基づいて経時的に改善することができる（例えば、分類システムが犯したエラーまたは誤った予測に基づいて連続学習成分を訓練することができる）。ＣＡＤプロセスを最適化するためにトレイニング・データを収集する種々の方法例を、例えば、図４を参照して以下に説明する。
【００２９】
ＣＡＤシステム（１４）は、検出プロセス（１６−１）のため、例えば、ニューラル・ネットワーク、判断木、支援ベクトル・マシーン、ベイズ・ネットワーク、確率論的推論等のほか、当業者に公知のその他の分類方法の１つまたは２つ以上を実行することができる。検出プロセス（１６−１）によって実行される分類方法は（例えば、分類システムがニューラル・ネットワークを利用して構成されている場合がそうであるように）ユーザーに対して予測を説明できない“ブラックボックス”であるか、（例えば、分類システムが判断木を利用して構成されている場合がそうであるように）人間が読むことのできる“ホワイトボックス”であるか、さらに他の実施態様として、分類方法が結論に至る経緯を部分的に説明できる“グレーボックス”である場合もある（例えば、“ホワイトボックス”と“ブラックボックス”の複合タイプの分類システム）。
【００３０】
知識ベース（１６−２）は（例えば、心臓画像、胸部画像などのような）１つまたは２つ以上の臨床分野を支援するため種々の情報源から得られた情報から成る臨床分野知識ベースを含むことができる。例えば、臨床分野知識として、ＣＡＤシステム（１４）による支援対象である臨床分野に関連する分析/診断済みケースの膨大なデータベースから“オフ-ライン”で学習される知識を含むことが考えられる。臨床分野知識（１６−２）は、専門家によって直接入力されるいわゆる専門家臨床知識のほか、支援される臨床分野について医療団体または保険会社と関連する規則、規制及び/またはガイドラインに関する情報をも含むことがある。
【００３１】
学習エンジン（１６−３）は知識ベース（１６−２）へ追加の知識を組み込むか、またはＣＡＤシステム（１４）を使用する過程で得られるトレイニング・データを利用して知識ベース（１６−２）に情報を適合させることができる１つまたは２つ以上の公知機械学習方法を実行することができる。例えば、補強学習技術を利用することができる。有益な効果として、機械学習は分類プロセス（１６−１）がコストを伴う人的介入無しに経時的に絶えず改善されることを可能にすることでＣＡＤシステム（１４）の機能を堅牢化する。
【００３２】
本発明のＣＡＤシステム及び方法は画像データ処理のための従来タイプのＣＡＤ方法またはその他の自動診断方法の延長として実施することができる。また、実施例としてここに述べるシステム及び方法は３Ｄ-医用画像及びＣＡＤシステムまたは広範囲の撮影方法（ＣＴ、ＭＲＩ等）、種々の異常な解剖学的構造または損傷、例えば、結腸ポリープ、動脈瘤、肺結節等の診断及び評価に適用されるアプリケーションとの関連で容易に実施することができる。なお、本明細書では特定の撮影方法または特定の解剖学的構造との関連において実施例を説明しているが、これらの実施例は本発明の範囲を制限するものではない。
【００３３】
本発明の他の実施例では、図１に示すように、ＣＡＤシステム（１４）は１つまたは２つ以上の撮影方法によるデータ（１１−１）（例えば、超音波画像データ、ＭＲＩデータ、ＮＭＲデータ、ＰＥＴデータ、ＣＴデータ等）及び（場合によっては）ＣＡＤプロセスによる分析のための非画像データから、情報（画像パラメーター/特徴）を抽出及び分析することができる。換言すると、特徴抽出モジュール（１５）は考察下にある臨床/画像分野と関連する可能性がある構造化及び/非構造化患者データ記録（１１）から“非画像”患者データを抽出し、画像特徴/パラメーターと非画像特徴/パラメーターをＣＡＤプロセスによる分析に適応するように組み合わせるための１つまたは２つ以上の患者データ抽出方法を含むことがある。臨床用非画像データは特定の異常部位を指摘できないかもしれないが、このような非画像臨床データはＣＡＤ評価プロセス全般において有用である。即ち、抽出モジュール（１５）はデータ分析/データ・マイニング方法を実行することによって、すべてのタイプのデータ記録（１１）から関連パラメーターを抽出し、患者記録中のエラー/矛盾点/欠落部分に対応することができる。このため、本発明の１つの実施態様として、ＣＡＤシステム（１４）は２００１年１１月２日付米国仮出願第６０／３５，５４２号に基づく優先権を主張する２００２年１１月４日付本願の同時係属米国特許出願第１０/２８７，０５５号“Ｐａｔｉｅｎｔ  Ｄａｔａ  Ｍｉｎｉｎｇ”に記載のデータ・マイニング方法及び特徴組み合わせ方法を利用することができ、両関連出願の内容は参考のため本願明細書中に引用している。
【００３４】
図２のフローチャートは医師が本発明の実施態様に従って患者の画像データを検査分析するためのワークフローを示す。便宜上、図２の方法を図１のシステムと関連させて説明する。先ず、医師、臨床医、放射線技師等は被検患者の画像データを予備的に（ＣＡＤを援用せずに）検査分析する(ステップ２０）ことによって異常と疑われる解剖学的構造または病状を識別する。例えば、本発明の１つの実施態様として、医師はスクリーン表示/観察システム（１２）を使用することによって、例えば、ＣＴスキャンを介して得られた画像データセットから作成された２Ｄ-画像スライスの１枚または２枚以上のＸ-線フィルムを検査する。
【００３５】
他の実施態様として、医師はコンピュータ・モニター上に表示される画像データセットの２Ｄ-及び/または３Ｄ-レンダリングを検査する。例えば、医師は入力された画像データセットのすべてまたは一部を２Ｄ-及び/または３Ｄ-画像にレンダーして表示し、表示された画像を、適当なＧＵＩを利用することによって検索し、異常を疑われる部位を識別することができる。この場合、可視化システム（１３）は医師が検査するための２Ｄ-及び/または３Ｄ-画像を簡単に作成し、表示することができるが、分析を助けるＣＡＤ関連の機能を果すことも、ＣＡＤ結果に基づいてレンダーされ、表示されるような画像を表示することもない。
【００３６】
最初の検査に基づいて、医師は疑わしい損傷または解剖学的異常を含む（または損傷または異常そのものである）と信じられる画像データ中の問題部位を自身に手でマークまたはその他の方法で同定する。また、可視化システム（１３）との関連でＧＵＩ機能を活用することによって、医師は、表示される２Ｄ-及び/または３Ｄ-画像の特定部位をマーク等で強調することができる。恐らく、医師は患者の画像データをＣＡＤの非援用で検査した結果に基づく最初の所見を仮報告書として作成するであろう。この報告書は画像データ中の問題部位（または特徴）を指摘すると共に、医師の予備的診断及び所見を含むことになる。
【００３７】
次いで、医師は患者データのＣＡＤ-援用検査を実施して予備的な所見を立証または調整する。具体的には、本発明の１つの実施態様として、（最初に検査した）画像データセットを、ＣＡＤシステムを使用し再検査し、結果として“マーク”された画像データを得ることによってＣＡＤ-援用検査を開始し、画像データ中の疑わしい損傷またはその他の異常な解剖学的構造を検出する(ステップ２２）。処理を最初の読取りの前に“オフライン”で、または最初の読取りの過程において非監視下に実行するか、またはユーザーが最初の読取りの後、ＣＡＤシステム（１４）の実行によって実行することによって、ＣＡＤ非援用検査のため（例えば、システム１３を介して）表示されている画像データを処理する。
【００３８】
次いで、医師は表示装置上に表示されている“マークされた”画像データの２Ｄ-及び/または３Ｄ-レンダリングに基づいて、患者の画像データをＣＡＤ-援用による再検査を行う。例えば、ＣＡＤシステム（１４）の出力（例えば、“マークされた”画像データ）を画像レンダリング/可視化システム（１３）に入力すると、システム（１３）は、もし存在するなら、ＣＡＤプロセスの結果に基づくコンピュータ-形成マーク（ＣＡＤマーク）を示す１つまたは２つ以上の２Ｄ-及び/または３Ｄ-医用画像を発生・表示する。換言すると、表示される画像はマークされるか、またはＣＡＤモジュール（１６）によって検出される疑わしい異常を局所的に同定する注記が付される。ＣＡＤ-援用検査の過程において、画像データ中の、ＣＡＤプロセスによって発見されなかった異常を含むと医師が信ずる問題部位に新しいユーザー・マークを加えることによって、医師はＧＵＩを介してシステムと相互作用することができる。また、医師はＣＡＤプロセスによって発見されたが、医師がエラーであると信ずるＣＡＤマークを拒絶または取消し、正確であると医師が信ずるＣＡＤマークは容認することができる。検出結果をユーザーが検査する過程におけるユーザーの相互作用（例えば、ユーザー・マークを付加及びＣＡＤマークの容認/拒絶をトラックすることによって、後述するように、ＣＡＤプロセスの最適化/適合に利用される１つまたは２つ以上の異なるタイプのトレイニング・データを得る。
【００３９】
ＣＡＤ-援用検査後、医師は最終診断に基づいて仮報告書を補足することができる（ステップ２４）。医師がＣＡＤツールによって提供された補足診断情報が有意義であると判断するかどうかに応じて仮報告書と同じ場合と、同じでない場合とがある。最終診断報告書の後、医師は今後の行動方針を勧めることができ、この行動方針は特に新しい行動を含まない場合もあれば、追跡検査などを含む場合もある。
【００４０】
図３は本発明の実施態様としてのＣＡＤ方法を示すフローチャートである。１つの実施態様として、図３は図２のステップ２２及び２３に関する実行方法を示す。本発明の他の実施態様として、図３は図１のＣＡＤシステム（１４）の動作モードを示す。図３において、被検患者の画像データ（及び場合によっては、上述のように患者記録から採取された非画像データ）がＣＡＤシステムに入力される（ステップ３０）。入力された画像データセットを処理することによって、もし存在すれば、異常と疑われる解剖学的構造を有する画像データセット中から問題ありと疑われる部位（または特徴）を検出し、同定する（ステップ３１）。尚、ＣＡＤプロセス（ステップ３１）は、入力された画像データの撮影方法（例えば、ＣＴ）に好適な、且つ考察対象である解剖学的異常（例えば、癌、ポリープ、結節等）を検出/診断できる特殊な、または一般的な方法を利用して実行することができる。ＣＡＤプロセスは入力された画像データセット中の、損傷またはその他の異常構造である疑いありと判断される部位をマークする。
【００４１】
次いで、ＣＡＤ結果がユーザーに提示される。例えば、ＣＡＤモジュールから“マークされた”画像データセットが出力され（ステップ３３）、さらに処理されて、ＣＡＤマーク（及び場合によってはユーザーによる最初のＣＡＤ-非援用検査過程でユーザーによって挿入されたマーク）を示す２Ｄ−及び/または３Ｄ−画像をレンダーし、表示する。ＣＡＤ援用検査の過程において、ＣＡＤシステムはＣＡＤ-援用検査からのトレイニング・データを得るバックグラウンド方法を実行し（ステップ３４）、このトレイニング・データはＣＡＤプロセス用の知識ベースを更新するための学習プロセスに使用される。収集可能な種々のタイプのトレイニング・データを、図４を参照してさらに詳しく後述する。
【００４２】
図４は本発明の実施態様として、ＣＡＤプロセスの最適化に利用できるトレイニング・データの収集方法を示すフローチャートである。特に、図４は図３における実行ステップの種々の動作モードを示す。より具体的には、ユーザーによるＣＡＤ-援用検査の過程において、ＣＡＤシステム（１４）はＣＡＤマークの状態（例えば、マークに対するユーザーの容認または拒絶）及びユーザーによるマーク（例えば、ユーザーによって加えられたが、ＣＡＤプロセスによって発見されないマーク）をトラックし（ステップ４０）１つまたは２つ以上のタイプのトレイニング・データを収集する（ステップ４１、４２、４３、及び/または４４）。これらのタイプのトレイニング・データは単独で、または組み合わせた形で、ＣＡＤプロセスの適合/最適化に利用される。
【００４３】
例えば、本発明の１つの実施態様として、ＣＡＤシステム（１４）は絶えずＣＡＤマークとユーザー・マークをトラックし、もしマークが存在すれば、ユーザー自身の読取り過程で発見されたがＣＡＤプロセスでは発見されなかったのはどのマーク（いわゆる“擬陰性”マーク）かを判定する。ＣＡＤシステムはこのような擬陰性マークと関連するデータをトレイニング・データとして記憶する（ステップ４１）。トレイニング・データは、例えば、画像サブ-ボリューム・データ、抽出された特徴等を含む。このようなタイプのトレイニング・データを利用することによってＣＡＤプロセスはその過誤から学習することができる。
【００４４】
本発明の他の実施態様として、ＣＡＤシステムは絶えずＣＡＤマーク及びユーザー・マークをトラックし、もし存在すれば、ユーザー自身の読取り過程で発見され、ＣＡＤプロセスによっても発見されたのはどのマーク（いわゆる“真陽性”マーク）か（ステップ４２）を、上記“擬陰性”マーク（ステップ４１）と共に判定する。ＣＡＤシステムはこのような“真陽性”及び“擬陰性”マークと関連するデータをトレイニング・データとして記憶する。ここでも、トレイニング・データは、例えば、擬陰性及び真陽性マークの位置のほか、画像サブ-ボリューム・データや抽出された特徴等のような支援データも含む。
【００４５】
本発明の他の実施態様として、ＣＡＤシステムは絶えずＣＡＤマーク及びユーザー・マークをトラックし、もし存在すれば、ＣＡＤプロセスによって発見されたがユーザーによって拒絶されたマーク（“擬陽性”マーク）及び上記“擬陰性”マークを判定する。擬陽性マークは問題の損傷または異常を疑わせる解剖学的構造に対して付されたＣＡＤマークである場合がある。例えば、癌の診断に際して、癌に似た特徴を有する瘢痕組織を含む部位に擬陽性マークを付加することがある。ＣＡＤシステムはこのような“擬陽性”マーク（ステップ４３）及び“擬陰性”マーク（ステップ４１）と関連するデータをトレイニング・データとして記憶する。ここでも、トレイニング・データは、例えば、擬陰性及び擬陰性マークの位置のほか、画像サブ-ボリューム・データや抽出された特徴等のような支援データも含む。
【００４６】
本発明の他の実施態様として、ＣＡＤシステムは絶えずＣＡＤマーク及びユーザー・マークをトラックし、ＣＡＤプロセスまたはユーザーによって“マークされなかった”部位のほか、もし存在すれば、擬陽性及び擬陰性マークをも判定する。ＣＡＤシステムは“マークされなかった”部位（ステップ４４）、“擬陽性”マーク（ステップ４３）及び“擬陰性”マーク（ステップ４１）をトレイニング・データとして記憶する。ここでも、トレイニング・データは、例えば、マークされなかった部位、擬陰性及び擬陰性マークの位置のほか、画像サブ-ボリューム・データや抽出された特徴等のような支援データも含む。このようなトレイニング・データはＣＡＤシステムがエラーを犯す方向に作用するのを防止し、ユーザー及びＣＡＤプロセスが異常を含まないと見做す画像データと関連するトレイニング・データを使用して知識ベースを充実させるのに利用することができる。
【００４７】
尚、トレイニング・データを利用して知識ベースを改訂し、専門家ユーザーとシステムとの相互作用から学習されるより多くの知識を組み込むことができる。換言すれば、トレイニング・データは非監視下に収集され、専門家ユーザーはトレイニング・データセットを充実することによって知らず知らずのうちにシステムを訓練していることになる。つまり、専門家ユーザーは意識的にシステムを訓練するのではない。学習プロセスは連続的に実行され、収集されるそれぞれのトレイニング・データセット毎に知識ベースが更新されるから、ＣＡＤが使用される毎に、モデル/パラメーターが更新される。本発明の他の実施態様として、所定の患者数からトレイニング・データが収集されるまで、学習プロセスは実行されない。学習を実行できる頻度はＣＡＤシステムのユーザーの経験に応じて異なる。例えば、ＣＡＤシステムが医用画像の検査に不慣れな、経験の浅いユーザーによって使用されている場合、連続的な学習を実行することは望ましくない。このような場合には、学習データセット中から捕捉される追加の知識が誤っていたり、不正確であったりする恐れがある。
【００４８】
本発明の他の実施態様として、実証プロセスを実行することによって、更新/訓練された分類システムの精度を評価し、ＣＡＤプロセスのための分類システムの有効性と精度を判断することができる。例えば、既に結果が判明している患者からの実際のトレイニング・データを処理し、分類結果を予期の、または既知の結果と比較することによって精度点数を求めることができる。この場合、もし精度点数が所要の閾値以下なら、分類システムは不合格とし、そのまま訓練プロセスを続行すればよい。分類システムが評価に合格すれば、更新/訓練されたこの分類システムを使用することができる。
【００４９】
尚、日常のＣＡＤシステム利用からデータを得る上記の方法は飽くまでも例であり、当業者ならば、日常のＣＡＤシステム利用に基づくトレイニング・データ、即ち、ユーザーの専門家知識を入手または抽出する他の方法を容易に見出すことができるであろう。例えば、“マークされた”画像を表示し、ＧＵＩ相互作用を介してＣＡＤマークの容認または拒絶をトラックするのではなく、ＣＡＤ援用検査を別の方法で行うことができる。即ち、プリント画像を介してＣＡＤ結果がユーザーに提示され、この場合、ユーザーはこのプリント・コピーを再検討し、ＣＡＤ結果を容認するか、または拒絶するかを最終報告書に記入することになる。この場合、ＣＡＤシステムは仮及び最終報告書中の情報を分析し、これらの報告書とＣＡＤ結果との間の差異及び/または類似性を調整することによって、ＣＡＤ結果のユーザーによる容認または拒絶を判断するか、または推論することができる。
【００５０】
添付の図面を参照して本発明の実施例を以上に説明したが、本発明はこれらの実施例に制限されるものではなく、当業者ならば、本発明の範囲または思想を逸脱することなく実施態様に種々の変更、改良を加えることができるであろう。これらの変更、改良はすべて添付する特許請求の範囲において画定する本発明の範囲に包含されるものとする。
【図面の簡単な説明】
【００５１】
【図１】ＣＡＤツールを使用する過程で得られた知識からＣＡＤプロセスの最適化/適合を目指す機械学習分類法を実行する、ＣＡＤツールを含む患者データ記録分析システムのブロックダイヤグラムである。
【図２】本発明の実施例としての図１に示すシステムを使用して医師が患者データ記録を検査するための作業フロー・プロセスを示すフローチャーとである。
【図３】本発明の実施例としてのＣＡＤ法のフローチャートである。
【図４】はＣＡＤプロセスの最適化に利用できる本発明の実施例としてのトレイニング・データ収集方法を示すフローチャートである。
【図１】
2007528746.tif 000003
【図２】
2007528746.tif 000004
【図３】
2007528746.tif 000005
【図４】
2007528746.tif 000006
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
医用画像におけるコンピュータ援用決定（ＣＡＤ）支援方法において、
ＣＡＤプロセスを利用して患者の画像データを処理することにより、患者の画像データ中の疑わしい問題部位を検出し；
ＣＡＤプロセスから得られたＣＡＤ結果をユーザーが検査できるように提示し、ＣＡＤ結果の提示方法として、画像データの少なくとも一部を、もし存在するなら、検出される問題部位を指摘するマークと共に表示し；
ユーザーによるＣＡＤ結果の検査に基づいてトレイニング・データを取得し、トレイニング・データを得るステップとして、
検出もＣＡＤマークも付されなかった問題部位を指摘するユーザーにより付されたマークを確認し、ユーザーによるマークと連携する問題部位に関する画像情報を収集するステップを含み；
ユーザーによる検査の過程においてユーザーが容認したＣＡＤマークを確認し；容認されたＣＡＤに連携する問題部位に関する画像情報を収集し；
ユーザーによる検査の過程においてユーザーが拒絶したＣＡＤマークを確認し；拒絶されたＣＡＤマークに連携する問題部位に関する画像情報を収集し；
日常のシステム使用の過程において得られたトレイニング・データを利用してＣＡＤプロセスを適合させるステップを含むことを特徴とする前記方法
【請求項２】
ＣＡＤプロセスを利用して患者の画像データを処理するステップが患者の画像データから自動的に画像パラメーターを抽出するステップと、分類方法を利用してパラメーターを分類するステップを含み、機械学習プロセスを利用してＣＡＤプロセスを適合させることにより、トレイニング・データを利用して分類システムを再訓練することを特徴とする請求項１に記載の方法。
【請求項３】
トレイニング・データを得るステップがＣＡＤマークもユーザー・マークも付されなかった問題部位に関する画像情報を収集するステップをも含むことを特徴とする請求項１に記載の方法。を特徴とする請求項１に記載の方法。
【請求項４】
トレイニング・データを利用してＣＡＤを適合させるステップがＣＡＤプロセスを連続的または周期的に再訓練するステップを含むことを特徴とする請求項１に記載の方法。
【請求項５】
ユーザーによる患者の画像データのＣＡＤ非援用検査に基づいてトレイニング・データを得るステップをも含むことを特徴とする請求項１に記載の方法。
【請求項６】
医学画像形成におけるコンピュータ援用決定（ＣＡＤ）支援を可能にするための方法ステップを実行するための、マシーンによって実行可能なプログラムを具体化した、マシーンによって読取り可能なプログラム記憶装置において、前記方法ステップが
ＣＡＤプロセスを利用して患者の画像データを処理することにより、患者の画像データ中の疑わしい問題部位を検出する命令と；
ユーザーが検査できるようにＣＡＤプロセスから得られるＣＡＤ結果を提示する命令と；ＣＡＤ結果提示命令が画像データの少なくとも一部を、もし存在するなら、検出された問題部位を指摘するＣＡＤマークと共に表示する命令より成り；
ＣＡＤ結果のユーザーによる検査に基づいてトレイニング・データを得る命令と、トレイニング・データを得る命令が、
検出もされず、ＣＡＤマークも付されなかった問題部位を指摘するユーザーにより付されたユーザー・マークを確認し、ユーザー・マークと連携する問題部位に関する画像情報収集する命令と；
ユーザーによる検査の過程においてユーザーが容認したＣＡＤマークを確認し；容認されたＣＡＤマークと連携する問題部位に関する画像情報を収集する命令と；
ユーザーによる検査の過程においてユーザーが拒絶したＣＡＤを確認し；拒絶されたＣＡＤマークと連携する問題部位に関する画像情報を収集する命令と；
ユーザーによるシステム利用の過程において得られるトレイニング・データを利用してＣＡＤプロセスを適合させる命令を含むことを特徴とする前記プログラム記憶装置。
【請求項７】
ＣＡＤプロセスを利用して患者の画像データを処理する命令が患者の画像データから自動的に画像の特徴を抽出し、分類方法を利用してこの特徴を分類する命令を含み、ＣＡＤプロセスを適合させる命令が機械学習プロセスを利用することによって、トレイニング・データで分類システムを再構成する命令を含むことを特徴とする請求項６に記載のプログラム記憶装置。
【請求項８】
トレイニング・データ取得命令がＣＡＤマークもユーザー・マークも付されなかった問題部位に関する画像情報を収集する命令をも含むことを特徴とする請求項６に記載のプログラム記憶装置。
【請求項９】
トレイニング・データを利用してＣＡＤを適合させる命令がＣＡＤプロセスを連続的または周期的に再訓練する命令を含むことを特徴とする請求項６に記載のプログラム記憶装置。
【請求項１０】
ユーザーによる患者の画像データのＣＡＤ-非援用検査に基づいてトレイニング・データを取得する命令をも含むことを特徴とする請求項６に記載のプログラム記憶装置。
【請求項１１】
コンピュータ援用決定（ＣＡＤ）を支援する方法において、
ＣＡＤプロセスを利用した患者データの処理からＣＡＤ結果を取得し；
（i）ユーザーによる患者データの検査、または（ii）ユーザーによるＣＡＤ結果の検査、または（iii）ユーザーによる患者データ及びＣＡＤ結果の検査から成る検査結果を取得し；
患者の画像データ中から、もし存在するなら、ＣＡＤプロセスによって検出され、疑わしい問題部位として指摘されるＣＡＤマークを含むＣＡＤ結果と、ユーザーによるＣＡＤ結果の検査に基づくユーザーによるＣＡＤマークの容認または拒絶を含むユーザー結果を比較し、この比較によって擬陽性ＣＡＤ結果、または擬陰性ＣＡＤ結果、または真陽性ＣＡＤ結果、またはこれらの組み合わせを求め、
日常のシステム利用の過程において得られる結果の比較結果に基づいてトレイニング・データを得るステップを含むことを特徴とする前記方法。
【国際調査報告】
2007528746.tif 000007
2007528746.tif 000008
2007528746.tif 000009